(57)【要約】  従来の陶板浴よりも健康増進効果の高いサービスの提供に利用可能な技術を提供する。温浴システム１では、サービス提供空間５に温浴装置１０が設置される。温浴装置１０の筐体４００には、畳１００の表層部材１１０を開口部４１０から露出させつつ、当該畳１００、発熱シート２００および断熱部材３００が収容されている。畳１００の芯材１２０には、予め定められた複数種類の細菌を含む液体が含まれている。温浴装置１０は、発熱シート２００の熱によって、畳１００を温めつつ、当該細菌の芯材１２０外への放出を促す。この温浴装置１０を用いると、利用者の体が温まり、かつ、放出された予め定められた複数種類の細菌が利用者の体内に取り込まれる。
2017017731.tif 000002
【特許請求の範囲】
【請求項１】
予め定められた複数種類の細菌を含む液体を含む板状の芯材と、
通気性を有し、前記芯材の一方の面に重ねられるシート状の表層部材と、
を具備する板体と、
熱源として機能し、前記芯材における前記表層部材に対向する面に対して反対側の面側に配置される発熱シートと、
を具備することを特徴とする温浴装置。
【請求項２】
前記芯材は、予め定められた複数種類の細菌と活性化物質とを含んだ液体であって、前記複数種類の細菌を培養して活性化させた液体が含浸されたものであることを特徴とする請求項１に記載の温浴装置。
【請求項３】
前記芯材は、予め定められた複数種類の細菌と活性化物質とを含んだ液体であって、前記複数種類の細菌を培養して活性化させた液体が噴霧されたものであることを特徴とする請求項１に記載の温浴装置。
【請求項４】
前記芯材は、多孔質の炭材からなり、厚み方向に貫通する複数の貫通孔を有することを特徴とする請求項１に記載の温浴装置。
【請求項５】
前記板体は、
板状の補強部材であって、厚み方向に貫通する複数の貫通孔を有し、前記芯材に重ねて配置される補強部材をさらに有することを特徴とする請求項１に記載の温浴装置。
【請求項６】
予め定められた複数種類の細菌を含む液体を含む板状の芯材と、
通気性を有し、前記芯材の一方の面に重ねられるシート状の表層部材と、
を具備する板体と、
熱源として機能する発熱シートと、
を具備する温浴装置を用いた温浴方法において、
前記表層部材が重ねられている面を上に向けた姿勢で前記板体を前記発熱シートの上に配置する工程と、
前記表層部材の上に人を横たえる工程と、
前記発熱シートによって前記板体を温める工程と、
を有することを特徴とする温浴方法。
【請求項７】
予め定められた複数種類の細菌を含む液体を含む板状の芯材と、
通気性を有し、前記芯材の一方の面に重ねられるシート状の表層部材と、
を具備することを特徴とする板体。
【発明の詳細な説明】
【技術分野】
【０００１】
この発明は、温浴装置、温浴装置を用いた温浴方法および温浴装置に利用可能な板体に関する。
【背景技術】
【０００２】
温浴サービスの一例として、陶板浴がある。陶板浴では、室内の温度が所定の温度に維持された温浴室が用いられる。この温浴室内の床や壁には、抗酸化処理の施された陶板が張りつけられている。陶板浴では、この温浴室内の床に体を横たえることで体を芯から温める。これにより、免疫力と自然治癒力を高めることができると言われている。
【先行技術文献】
【特許文献】
【０００３】
【特許文献１】特開平６−３３０６０６号公報
【発明の概要】
【発明が解決しようとする課題】
【０００４】
しかし、陶板浴では、体を温めることによって免疫力と自然治癒力を高めることができるかもしれないが、より健康増進効果の高いサービスの提供が望まれている。【０００５】
この発明は以上のような事情に鑑みてなされたものであり、従来の陶板浴よりも健康増進効果の高いサービスの提供に利用可能な技術を提供することを目的とする。
【課題を解決するための手段】
【０００６】
この発明は、予め定められた複数種類の細菌を含む液体を含む板状の芯材と、通気性を有し、前記芯材の一方の面に重ねられるシート状の表層部材と、を具備する板体と、熱源として機能し、前記芯材における前記表層部材に対向する面に対して反対側の面側に配置される発熱シートと、を具備することを特徴とする温浴装置を提供する。【０００７】
この発明によれば、発熱シートによって板体が温められる。板体の芯材が温まることによって、予め定められた複数種類の細菌を含む液体の蒸発が促される。この液体の蒸発に伴って、当該液体に含まれる当該細菌の芯材外への放出が促される。放出された当該細菌は、表層部材を通過して温浴装置外へ運ばれ、温浴装置外において拡散する。拡散した当該細菌は、温浴装置付近に居る人の呼吸などによってその人の体内に取り込まれる。また、発熱シートの熱によって、温浴装置付近に居る人の体が温められる。このように、本温浴装置では、人の体を温めつつ、予め定められた複数種類の細菌の温浴装置外への放出および温浴装置外における拡散を促すことができる。【０００８】
予め定められた複数種類の細菌として、いわゆる乳酸菌など、健康増進効果の期待される細菌を用いるようにすれば、温浴効果（すなわち、体を温めることによる効果）による血行やリンパの流れの改善に加え、当該細菌の働きによる効果（例えば、整腸効果）が得られ、単なる温浴効果に比較して高い健康増進効果が得られる。このように、血行やリンパの流れが改善し、かつ、整腸効果により内臓の働きが良くなっている状態は、東洋医学では「人体の気の巡りが良い状態」と表現される。【０００９】
特許文献１には、香料を担持させた微粒子を内部に埋設した香気性畳が開示されている。担持させた微粒子は、香料が常時蒸散しうる無機多孔質微粒子または無機多孔質中空微粒子である。これに対して、本発明の温浴装置は、板体を有しており、当該板体は、予め定められた複数種類の細菌を含む液体を含む芯材を有している。すなわち、板体（特許文献１では畳）に含ませる対象が、特許文献１では香料であるのに対し、本発明では予め定められた複数種類の細菌を含む液体である。また、本発明は、健康増進効果の高いサービスの提供に利用可能な温浴装置であるのに対し、特許文献１には、健康増進という思想はない。このため、本発明の温浴装置の板体は、特許文献１の畳とは全く異なるものである。【００１０】
好ましい態様において、前記芯材は、予め定められた複数種類の細菌と活性化物質とを含んだ液体であって、前記複数種類の細菌を培養して活性化させた液体が含浸されたものである。【００１１】
この態様によれば、予め定められた複数種類の細菌を培養して活性化させた液体が芯材に含浸される。このため、この態様の温浴装置では、芯材に含まれる液体の蒸発に伴って、芯材外へ放出する細菌の数を増やすことができるとともに、活発に活動する細菌を芯材外へ放出することができる。この態様では、活発に活動する多数の細菌が温浴装置外において拡散するため、活発に活動する多数の細菌が温浴装置付近の人の体内に取り込まれる。人の体内に取り込まれる細菌の数が増え、その細菌が活発に活動するため、当該細菌の働きによる効果をより期待することができる。このため、活性化液が芯材に含浸された温浴装置では、当該細菌を活性化させずに単に当該細菌を含む液体が芯材に含浸された温浴装置に比べ、高い健康増進効果をより期待することができる。【００１２】
また、この発明は、予め定められた複数種類の細菌を含む液体を含む板状の芯材と、通気性を有し、前記芯材の一方の面に重ねられるシート状の表層部材と、を具備する板体と、熱源として機能する発熱シートと、を具備する温浴装置を用いた温浴方法において、前記表層部材が重ねられている面を上に向けた姿勢で前記板体を前記発熱シートの上に配置する工程と、前記表層部材の上に人を横たえる工程と、前記発熱シートによって前記板体を温める工程と、を有することを特徴とする温浴方法を提供する。【００１３】
この発明によれば、発熱シートの上に板体を配置して、その板体の上に人を横たえて、板体を温める。本温浴方法によれば、人の体を温めつつ、予め定められた複数種類の細菌の温浴装置外への放出を促して当該細菌を人の体内に取り込ませることができる。【００１４】
また、この発明は、予め定められた複数種類の細菌を含む液体を含む板状の芯材と、通気性を有し、前記芯材の一方の面に重ねられるシート状の表層部材と、を具備することを特徴とする板体を提供する。【００１５】
陶板浴における陶板をこの発明の板体に置き換えることやこの発明の板体と発熱シートとを組み合わせることによって、人の体を温めつつ、予め定められた複数種類の細菌の板体外への放出を促して当該細菌を人の体内に取り込ませることが可能な温浴サービスを提供することができる。
【図面の簡単な説明】
【００１６】
【図１】この発明の一実施形態である温浴装置１０の構成を示す組み立て斜視図である。
【図２】同温浴装置１０を含む温浴システム１の構成を示す断面模式図である。
【図３】同温浴装置１０の畳１００の構成を示す断面図である。
【図４】同温浴装置１０の畳１００の補強部材１３０の正面図である。
【図５】同温浴装置１０の畳１００の補強部材１３０の溝１３４の構成を示す断面図である。
【図６】同温浴装置１０を含む温浴システム１を用いた温浴サービスを説明する概略図である。
【発明を実施するための形態】
【００１７】
以下、図面を参照し、この発明の実施形態について説明する。
＜実施形態＞
図１は、この発明の一実施形態による温浴装置１０の構成を示す組み立て斜視図である。また、図２は、本実施形態の温浴装置１０を含む温浴システム１の構成を示す断面模式図である。温浴システム１は、温浴サービスを提供する施設内の空間（以下、サービス提供空間と呼ぶ）５に温浴装置１０を設置することで構成されている。
【００１８】
温浴装置１０は、本実施形態に特有の構成を有する板体の一例である畳１００と、発熱シート２００と、断熱部材３００と、筐体４００とを有している。温浴システム１による温浴サービスの利用者は、畳１００上に横たわることで温浴サービスの提供を受ける。畳１００の構成は、後に詳述する。
【００１９】
発熱シート２００は、発熱するシート状の部材であり、温浴装置１０における熱源として機能する。発熱シート２００は、具体的には、炭材を含む発熱カーボンシートである。発熱シート２００の炭材は、例えば、多孔質であり、発熱シート２００は、厚み方向に通気性を有している。発熱シート２００は、外部電源（図示略）から電力の供給を受けて発熱シート２００内の炭材を温めて炭材から遠赤外線を放射させることで所定の温度で発熱する。発熱シート２００が発生する熱の温度は、例えば、４７℃〜６０℃程度であり、より好適には、５５℃である。
【００２０】
断熱部材３００は、断熱性を有する板状の部材である。断熱部材３００には、厚み方向に貫通する貫通孔３１０が複数個設けられている。複数の貫通孔３１０の各々は、断熱部材３００の板面の全面に分散して設けられている。
【００２１】
筐体４００は、上部に開口部４１０が設けられた箱状の部材である。筐体４００には、断熱部材３００、発熱シート２００および畳１００が下からこの順に重ねられて収容される。より詳細には、断熱部材３００の上方に僅かな隙間を空けつつ発熱シート２００が配置され、発熱シート２００の上方に僅かな隙間を空けつつ畳１００が配置される。断熱部材３００と発熱シート２００との間および発熱シート２００と畳１００との間に僅かな隙間が空くように、断熱部材３００、発熱シート２００および畳１００は、筐体４００の図示しない支持機構によって支持されている。筐体４００の上部の開口部４１０付近には、畳１００が配置される。そして、畳１００の畳表として機能する表層部材１１０が開口部４１０から露出する。すなわち、筐体４００は、畳１００の表層部材１１０を外部に露出させつつ、畳１００と発熱シート２００と断熱部材３００とを収容して支持する部材である。なお、畳１００と発熱シート２００とが接触していても良いし、発熱シート２００と断熱部材３００とが接触していても良い。
【００２２】
筐体４００に収容される畳１００の枚数は、１枚であっても良いし、２以上の整数（複数）枚であっても良い。図１および図２では、３枚の畳１００を並べて筐体４００に収容する例を示している。また、筐体４００に収容される複数枚の畳１００の各々の寸法が異なっていても良い。また、温浴システム１のサービス提供者は、設置したい畳１００の寸法や枚数に合わせて、発熱シート２００、断熱部材３００および筐体４００の寸法などを決定すれば良い。
【００２３】
筐体４００に収容された断熱部材３００は、筐体４００の図示しない支持機構によって支持されており、筐体４００の底から浮いている。断熱部材３００の下面側の筐体４００内には、筐体４００と断熱部材３００とによって囲まれた空間４３０が形成されている。断熱部材３００の下面以下の筐体４００の側面には、当該側面を貫通する開口部４２０が設けられている。この開口部４２０によって筐体４００外の空間と筐体４００内の空間４３０が連通している。また、筐体４００内の空間４３０と、発熱シート２００が配置されている断熱部材３００と畳１００との間の空間とは、断熱部材３００の貫通孔３１０によって連通している。
【００２４】
図３は、畳１００の構成を示す断面図である。畳１００は、表層部材１１０、第１の芯材１２２、第２の芯材１２４および補強部材１３０を含んでいる。第１の芯材１２２、第２の芯材１２４および補強部材１３０は、各々、板状の部材である。第１の芯材１２２の厚さは、例えば、１７ｍｍであり、第２の芯材１２４の厚さは、例えば、３ｍｍであり、補強部材１３０の厚さは、例えば９ｍｍである。補強部材１３０は、第１の芯材１２２と第２の芯材１２４との間に挟まれている。第１の芯材１２２と第２の芯材１２４を形成する素材は、例えば、多孔質の炭材である。第１の芯材１２２と第２の芯材１２４を区別しないときは、芯材１２０と表記する。芯材１２０は、クッション性を有している。補強部材１３０は、芯材１２０の強度を補強する部材である。補強部材１３０は、芯材１２０よりも高い剛性を有している。補強部材１３０を形成する素材は、例えば、木材などである。
【００２５】
第１の芯材１２２における補強部材１３０に対向する面とは反対の面には、シート状の表層部材１１０が重ねて配置される。換言すると、第１の芯材１２２の一方の面は、表層部材１１０によって覆われている。表層部材１１０は、通気性を有している。表層部材１１０は、井草を織って形成されたものであっても良いし、合成繊維を織って形成されたものであっても良い。すなわち、表層部材１１０は、通気性を有していて畳表として機能し得るものであれば良い。
【００２６】
第１の芯材１２２には、厚み方向に貫通する複数の貫通孔１２３が設けられており、第２の芯材１２４には、厚み方向に貫通する複数の貫通孔１２５が設けられており、補強部材１３０には、厚み方向に貫通する複数の貫通孔１３３が設けられている。貫通孔１２３、１２５および１３３の各々は、第１の芯材１２２、第２の芯材１２４および補強部材１３０の板面の全面に分散して設けられている。そして、貫通孔１２３、１２５および１３３は、それらの開口面が重なるように設けられている。貫通孔１２３、１２５および１３３は、畳１００の下に配置されている発熱シート２００から与えられる熱を畳１００の内部（より具体的には、芯材１２０の内部）に効率よく伝達させる役割を果たす。
【００２７】
図４は、畳１００の補強部材１３０の正面図である。補強部材１３０における板面の一方の面（具体的には正面）には、複数の溝１３４が形成されている。図５は、補強部材１３０の溝１３４の構成を示す断面図である。図５に示すように、溝１３４は、断面が三角形状の切り込みである。補強部材１３０の素材が木材である場合、溝１３４は、木材の繊維に交差してその繊維を断ち切るように設けられる。具体的には、図４に例示するように、複数の溝１３４は、補強部材１３０の上辺および下辺から右辺および左辺へ各々延びており、補強部材１３０の正面に斜めの格子模様を描いている。溝１３４は、上記の繊維の収縮に起因する補強部材１３０の反りを防止し、結果として、畳１００の反りを防止する役割を果たす。また、溝１３４は、補強部材１３０の表面積を増加させ、畳１００の下に配置されている発熱シート２００から与えられる熱を効率よく吸収して放射する役割も果たす。補強部材１３０は、溝１３４を有する面を表層部材１１０へ向けた姿勢で配置されても良いし、溝１３４を有する面を表層部材１１０の配置されている方向に対して反対の方向へ向けた姿勢（すなわち、畳１００の下に配置される発熱シート２００へ向けた姿勢）で配置されても良い。なお、図４では、補強部材１３０の貫通孔１３３の表示を省略している。
【００２８】
本実施形態の畳１００の芯材１２０には、予め定められた複数種類の細菌を含む液体が含浸されている。この液体は、予め定められた複数種類の細菌と活性化物資とを含んだ液体であって、それら予め定められた複数種類の細菌を培養して活性化させた液体（以下、活性化液と呼ぶ）である。予め定められた複数種類の細菌の具体例としては、乳酸を生成する菌類（以下、単に乳酸菌という）、酵母菌、麹菌、放線菌などが挙げられる。これらの菌種は、人間に対して有用な効果をもたらすと言われている。以下、活性化液に含まれる複数種類の細菌を「有用細菌群」と呼ぶ。この有用細菌群には、乳酸菌が必ず含まれている。これら有用細菌群は、活性化液中で共生している。
【００２９】
芯材１２０の製造について詳細に説明する。芯材１２０の製造者は、まず、予め定められた複数種類の細菌（具体的には、乳酸菌、酵母菌、麹菌、放線菌など）を同居させた状態の液体を準備する。この液体は、より具体的には、ＥＭ（Ｅｆｆｅｃｔｉｖｅ  Ｍｉｃｒｏｏｒｇａｎｉｓｍｓ：有用微生物群）技術を用いたものである。並行して、芯材１２０の製造者は、予め定められた複数種類の細菌を活性化させるのに好適な活性化物質を含む液体を準備する。この液体は、具体的には、鉄イオン（具体的には二価鉄イオンおよび三価鉄イオン）を多く含む物質である。この液体は、より具体的には、水に溶け、かつ、酸化と還元の両方の作用を持っている状態の鉄であるＦＦＣ（Ｆｅｒｒｏｕｓ  Ｆｅｒｒｉｃ  Ｃｈｌｏｒｉｄｅ：水溶性二量体鉄塩）を含むものである。次に、芯材１２０の製造者は、準備した前者の液体と後者の液体とを混ぜ合わせて混合液体を生成する。次に、芯材１２０の製造者は、生成した混合液体の中で、予め定められた複数種類の細菌（乳酸菌、酵母菌、麹菌、放射線菌など）を培養してそれらを活性化させる。このようにして、芯材１２０の製造者は活性化液を生成する。そして、芯材１２０の製造者は、このようにして生成した活性化液に芯材１２０を浸して、この活性化液を芯材１２０に含浸させる。なお、芯材１２０の製造者と活性化液の製造者が異なっていても良い。
【００３０】
芯材１２０に含浸された活性化液は、時間とともに徐々に蒸発する。この活性化液の蒸発に伴って、芯材１２０内の有用細菌群が芯材１２０外に徐々に放出される。芯材１２０外に放出された有用細菌群は、表層部材１１０および開口部４１０を通過して温浴装置１０外へ運ばれ、サービス提供空間５に拡散する。温浴装置１０では、畳１００の下に発熱シート２００が配置されているため、芯材１２０に含浸された活性化液の蒸発が発熱シート２００の熱によって促される。
【００３１】
図２に示すように、温浴装置１０の発熱シート２００が発熱すると、温浴システム１では、サービス提供空間５の流体（具体的には空気）が対流する。より詳細に説明する。発熱シート２００付近（具体的には、畳１００と断熱部材３００との間）の空気は、発熱シート２００の熱によって温められることによって上昇し、畳１００内部を通過して筐体４００の開口部４１０から温浴装置１０外（すなわち、サービス提供空間５）へ排出される。温浴装置１０外へ排出された空気は、サービス提供空間５の上方において冷やされてサービス提供空間５の下方へ移動する。サービス提供空間５の下方へ移動した空気は、筐体４００の側面の開口部４２０を通過して温浴装置１０外から温浴装置１０内の空間４３０に取り込まれる。温浴装置１０内の空間４３０に取り込まれた空気は、断熱部材３００の貫通孔３１０を通過して発熱シート２００付近へ移動する。そして、発熱シート２００付近へ移動した空気は、発熱シート２００によって再び温められて上昇する。このようにして温浴装置１０内の空気とサービス提供空間５の空気とが自然に循環する。
【００３２】
図６は、本実施形態の温浴システム１を用いた温浴サービスを説明する模式図である。図６に示すように、利用者は、サービス提供空間５に設置された温浴装置１０の上、より正確には、温浴装置１０の畳１００の上に体を横たえる。すなわち、温浴システム１では、温浴装置１０をベッドのように用いる。温浴システム１の利用者は、陶板に比べて柔らかい畳１００の上に体を横たえるため、陶板浴に比べ背中や腰などが痛くなることはない。
【００３３】
温浴システム１において発熱シート２００の熱エネルギーの一部は、図６の矢印５３３のように、筐体４００を通過してサービス提供空間５へ伝わり、サービス提供空間５を形成する床や壁などに伝わる。また、発熱シート２００の熱エネルギーの一部は、図６の矢印５３２のように、畳１００の芯材１２０に伝わる。また、発熱シート２００の熱エネルギーの一部は、図６の矢印５３１のように、畳１００を通過して畳１００上の利用者に伝わる。利用者に伝わる熱エネルギーは、発熱シート２００から放射される遠赤外線によるものだけでなく、発熱シート２００によって温められた畳１００に利用者の体が触れることによって利用者に伝わるものも含まれる。利用者に熱エネルギーが伝わるため、利用者の体が芯から温められる。
【００３４】
図６の符号５１０で示す大きい丸印は、有用細菌群を表している。温浴システム１では、芯材１２０に熱エネルギーが伝わるため芯材１２０に含浸された活性化液の蒸発が促され、その活性化液に含まれている有用細菌群が、図６の矢印５４１のように、サービス提供空間５へ放出される。また、芯材１２０が温まることで、芯材１２０に含浸された活性化液に含まれている有用細菌群の増殖が促され、その増殖に伴って生理活性物質が生産される。有用細菌群が生産する生理活性物質は、人間に対して有用な生理作用または薬理作用をもたらすと期待される物質単体および化合物群である。生理活性物質は、具体的には、乳酸菌が生産するビタミン類や、麹菌などの働きによって生成されるアミノ酸などである。図６の符号５２０で示す小さい丸印は、生理活性物質を表している。有用細菌群の各細菌によって生産された生理活性物質も、図６の矢印５４１のように、活性化液の蒸発に伴ってサービス提供空間５へ放出される。温浴システム１では、発熱シート２００の熱によってサービス提供空間５の空気が自然に循環するため、有用細菌群および生理活性物質は、サービス提供空間５において均一に拡散する。
【００３５】
温浴システム１では、図６の矢印５４４のように、サービス提供空間５に拡散した有用細菌群および生理活性物質の一部がサービス提供空間５を形成する床や壁などに付着することもある。また、温浴システム１では、図６の矢印５４５のように、その床や壁などに付着した有用細菌群および生理活性物質の一部がサービス提供空間５へ再度拡散することもある。そして、サービス提供空間５に拡散された有用細菌群および生理活性物質は、サービス提供空間５に居る利用者の呼吸等によってその体内に取り入れられる。
【００３６】
有用細菌群および生理活性物質が人の体内に取り入れられると、体内に取り入れられた有用細菌群の各細菌は、人の体内において生理活性物質を生産する。この際、有用細菌群の細菌によっては、体内の余分なタンパク質などの分解を行うものもある。体内に取り入れられた生理活性物質や体内において生産された生理活性物質は、体内において吸収される。また、体内に取り入れられた有用細菌群の各細菌自体の成分（例えば、各細菌の細胞壁など）も体内において吸収される。このようにして吸収された生理活性物質や有用細菌群の各細菌自体の成分や有用細菌群の各細菌の働きによって、整腸効果等が期待される。
【００３７】
温浴システム１では、温浴サービスの提供を継続してゆくと、芯材１２０内の有用細菌群の各菌数が時間とともに減少する、と考えられる。これは、芯材１２０に含まれる活性化液の蒸発に伴って有用細菌群が芯材１２０外に放出され、放出された有用細菌群が利用者に取り込まれるからである。このため、温浴システム１では、定期的に畳１００の芯材１２０を新品（活性化液を十分に含浸した芯材１２０）に交換するのが好ましい。芯材１２０を新品に交換することによって、温浴システム１では、サービス提供空間５における有用細菌群の各菌数と菌種のバランスを所定値以上に維持することができる。
【００３８】
以上のように、本実施形態の温浴システム１の温浴装置１０によれば、利用者の体を温めつつ、予め定められた複数種類の細菌の温浴装置１０外への放出および温浴装置１０外における拡散を促すことができる。この温浴装置１０を用いると、利用者の体が温まり、かつ、予め定められた複数種類の細菌が利用者の体内に取り込まれる。
【００３９】
温浴装置１０では、予め定められた複数種類の細菌として、乳酸菌などの人間に対して有用な効果（すなわち健康増進効果）をもたらすと言われている菌種を用いている。このため、温浴装置１０を用いれば、温浴効果（すなわち、体を温めることによる効果）による血行やリンパの流れの改善に加え、当該細菌の働きによる効果（例えば、整腸効果）が得られ、単なる温浴効果に比較して高い健康増進効果が得られる。このように、血行やリンパの流れが改善し、かつ、整腸効果により内臓の働きが良くなっている状態は、東洋医学では「人体の気の巡りが良い状態」と表現される。
【００４０】
また、温浴装置１０の畳１００の芯材１２０は、予め定められた複数種類の細菌と活性化物質とを含んだ液体であって、当該複数種類の細菌を培養して活性化させた液体が含浸されたものである。この温浴装置１０では、芯材１２０に含まれる液体の蒸発に伴って、芯材１２０外へ放出する細菌の数を増やすことができるとともに、活発に活動する細菌を芯材１２０外へ放出することができる。活発に活動する多数の細菌が温浴装置１０外において拡散するため、温浴システム１では、活発に活動する多数の細菌が利用者の体内に取り込まれる。利用者の体内に取り込まれる細菌の数が増え、その細菌が活発に活動するため、当該細菌の働きによる効果をより期待することができる。このため、活性化液が芯材１２０に含浸された温浴装置１０では、当該細菌を活性化させずに単に当該細菌を含む液体が芯材に含浸された温浴装置に比べ、高い健康増進効果をより期待することができる。
【００４１】
また、温浴システム１では、板材の一例として畳１００を有している。そして、温浴システム１では、陶板などに比べて柔らかい畳１００の上に利用者を横たわらせる。このため、温浴システム１では、利用者の背中や腰などに負担を与えることなく温浴サービスを提供することができる。
【００４２】
また、温浴システム１では、畳１００の芯材１２０に含まれる有用細菌群の各細菌が生きていても、あるいは死んでいても高い健康増進効果を期待することができる。これは、有用細菌群のうちの生きている各細菌が人の体内に取り込まれれば、取り込まれた人の体内において当該各細菌が生理活性物質を生成し、生成された生理活性物質が人の体内で吸収されると期待され、有用性菌群のうちの死んでいる各細菌が人の体内に取り込まれれば、当該各細菌自体の成分が人の体内で吸収されると期待されるからである。また、有用細菌群の各細菌が生きていれば生理活性物質を生成するため、生きている細菌が多いほど、高い健康増進効果を期待することができる。また、活性化液を芯材１００に含浸させる際に、活性化液中の有用細菌群の各細菌を殺菌しないため、畳１００の殺菌にかかるコストの上昇を抑えることができるとともに、当該細菌の働きによる効果を最大限に得ることができ、健康増進効果を最大限に得ることができる。
【００４３】
＜他の実施形態＞
以上、この発明の一実施形態について説明したが、この発明には他にも実施形態が考えられる。例えば次の通りである。
【００４４】
（１）一実施形態の温浴装置１０では、板体の一例として畳１００を有していた。これは、温浴装置１０の板体として畳１００が最も好適だからである。しかし、温浴装置１０の板体は、畳に限らない。すなわち、温浴装置１０の板体は、予め定められた複数種類の細菌を含む液体を含む板状の芯材と、通気性を有し、芯材の一方の面に重ねられるシート状の表層部材と、を有するものであれば良い。
【００４５】
（２）一実施形態の温浴装置１０の畳１００は、補強部材１３０を含んでいた。しかし、畳は、補強部材１３０を含んでいなくても良い。また、畳１００は、複数の芯材１２０（具体的には、第１の芯材１２２および第２の芯材１２４）を有していた。しかし、畳は、１枚以上の芯材１２０を有していれば良い。また、補強部材１３０は、第１の芯材１２２と第２の芯材１２４とによって挟まれていた。しかし、補強部材は、複数の芯材によって挟まれていなくても良い。例えば、畳は、１枚の芯材と１枚の補強部材とを有し、芯材における表層部材に対向する面に対して反対の面側に補強部材が配置されたものであっても良い。また、畳は、芯材における表層部材の対向する面に対して反対の面側に補強部材が配置されたものに限らず、芯材と表層部材との間に補強部材が配置されたものであっても良い。補強部材には厚み方向に貫通する複数の貫通孔が設けられているため、芯材内の有用細菌群は、補強部材の貫通孔と表層部材とを通って畳外へ放出され得るからである。
【００４６】
（３）畳１００の寸法は、一般的な畳の寸法（９１０ｍｍ×１８２０ｍｍ）に限らない。また、畳１００の寸法は、一畳分に限らず、例えば、半畳分であっても良い。
【００４７】
（４）一実施形態の畳１００の芯材１２０は、活性化液が含浸されたものであった。しかし、芯材は、活性化液が噴霧されたものであっても良い。活性化液が芯材に噴霧されれば、活性化液が芯材に含まれるからである。また、芯材は、予め定められた複数種類の細菌を培養して活性化させる前の予め定められた複数種類の細菌を同居させた状態の液体（具体的には、ＥＭ技術を用いた液体）が含浸されたものであっても良いし、当該液体が噴霧されたものであっても良い。すなわち、芯材は、予め定められた複数種類の細菌を含む液体を含んでいれば良い。また、芯材は、活性化液が含浸され、かつ、噴霧されたものであっても良い。また、芯材における活性化液の含有量が低下した際などに、活性化液を芯材に噴霧することで当該芯材に活性化液（換言すると、有用細菌群）を補填しても良い。
【００４８】
（５）一実施形態の温浴システム１では、サービス提供空間５における有用細菌群の各菌数と菌種のバランスを維持するために、定期的に畳１００を新品に交換することを推奨していた。これと併せて、温浴システム１では、サービス提供空間５へ活性化液を定期的に噴霧しても良い。
【００４９】
（６）一実施形態の畳１００の芯材１２０を形成する素材は、多孔質の炭材であった。これは、芯材１２０内に有用細菌群を含む活性化液を含ませるのに好適だからである。しかし、芯材を形成する素材は、有用細菌群を含む活性化液を当該芯材が含むことが可能であれば良く、多孔質の炭材に限らない。
【００５０】
（７）一実施形態の畳１００の第１の芯材１２２および第２の芯材１２４には、複数の貫通孔１２３および１２５を有していた。しかし、畳の芯材は、貫通孔を有していなくても良い。芯材に貫通孔を有していない畳は、芯材に貫通孔を有している畳に比べ芯材内部への熱の伝導効率が低下する虞はあるが、芯材へ熱が伝導可能であることに変わりはないからである。また、第１実施形態の畳１００の補強部材１３０には、複数の溝１３４を有していた。しかし、補強部材１３０は、このような溝を有していなくても良い。補強部材に溝を有していない畳は、補強部材に溝を有している畳に比べ与えられる熱の吸収および放射の効率が低下する虞はあるが、与えられる熱を吸収して放射することが可能であることに変わりはないからである。
【００５１】
（８）一実施形態の温浴装置１０は、畳１００と、発熱シート２００と、断熱部材３００と、筐体４００とを有していた。しかし、温浴装置は、少なくとも、予め定められた複数種類の細菌を含む液体を含む板状の芯材と、通気性を有し、芯材の一方の面に重ねられるシート状の表層部材と、を具備する板体（具体的には畳）と、熱源として機能し、芯材における表層部材に対向する面に対して反対側の面側に配置される発熱シートとを含んでいれば良い。板体（具体的には畳）と発熱シートとを含んでいれば、人の体を温めつつ、予め定められた複数種類の細菌の温浴装置外への放出および温浴装置外における拡散を促すことができるからである。
【００５２】
（９）一実施形態の温浴システム１として市場に提供するだけでなく、温浴システム１に用いられる温浴装置１０単体で市場に提供しても良い。温浴サービスを提供するための空間に温浴装置１０を設置することで、温浴システム１を容易に構築することができるからである。また、温浴装置１０として市場に提供するだけでなく、温浴装置１０に用いられる板体（具体的には畳１００）単体で市場に提供しても良い。陶板浴における陶板を当該板体に置き換えることや当該板体と発熱シートとを組み合わせることによって、人の体を温めつつ、予め定められた複数種類の細菌の板体外への放出を促して当該細菌を人の体内に取り込ませることが可能な温浴サービスを提供することができるからである。この板体を、例えば壁材などの建材として用いても良い。例えば、この板体を温浴システム１のサービス提供空間５を形成する壁材として用いる、という具合である。
【００５３】
（１０）また、予め定められた複数種類の細菌を含む液体を含む板状の芯材と、通気性を有し、芯材の一方の面に重ねられるシート状の表層部材と、を具備する板体と、熱源として機能する発熱シートとを具備する温浴装置を用い、表層部材が重ねられている面を上に向けた姿勢で板体を発熱シートの上に配置する工程と、表層部材の上に人を横たえる工程と、発熱シートによって板体を温める工程とを有する温浴方法によって、温浴サービスを利用者に提供しても良い。この温浴方法では、表層部材の上に人を横たえる工程と発熱シートによって板体を温める工程のいずれが先に行われても良い。
【符号の説明】
【００５４】
１…温浴システム、５…サービス提供空間、１０…温浴装置、１００…畳、１１０…表層部材、１２０…芯材、１２２…第１の芯材、１２４…第２の芯材、１２３，１２５，１３３，３１０…貫通孔、１３０…補強部材、１３４…溝、２００…発熱シート、３００…断熱部材、４００…筐体、４１０，４２０…開口部、４３０…空間、５１０…有用細菌群、５２０…生理活性物質、５３１，５３２，５３３，５４１，５４２，５４３，５４４，５４５…矢印。
【図１】
2017017731.tif 000003
【図２】
2017017731.tif 000004
【図３】
2017017731.tif 000005
【図４】
2017017731.tif 000006
【図５】
2017017731.tif 000007
【図６】
2017017731.tif 000008
【国際調査報告】
2017017731.tif 000009
2017017731.tif 000010